(57)【要約】  基地局は、第１のＤＲＸサイクルと、第２のＤＲＸサイクルと、第３のＤＲＸサイクルとのうちの少なくともいずれか一つを示す情報をユーザ端末に送信する送信部を備える。前記ＤＲＸサイクルは、基地局から送信される下りリンク制御チャネルをユーザ端末が間欠的に監視する周期を示し、前記第２のＤＲＸサイクルは、前記第１のＤＲＸサイクルよりも長い周期を有し、前記第３のＤＲＸサイクルは、前記第２のＤＲＸサイクルよりも長い周期を有する。
2016136960.tif 000002
【特許請求の範囲】
【請求項１】
第１のＤＲＸサイクルと、第２のＤＲＸサイクルと、第３のＤＲＸサイクルとのうちの少なくともいずれか一つを示す情報をユーザ端末に送信する送信部を備え、
前記ＤＲＸサイクルは、基地局から送信される下りリンク制御チャネルをユーザ端末が間欠的に監視する周期を示し、
前記第２のＤＲＸサイクルは、前記第１のＤＲＸサイクルよりも長い周期を有し、
前記第３のＤＲＸサイクルは、前記第２のＤＲＸサイクルよりも長い周期を有することを特徴とする基地局。
【請求項２】
ＲＲＣアイドル状態において、拡張ＤＲＸサイクルが設定されている場合、前記拡張ＤＲＸサイクルに従ってページングメッセージを監視する処理を実行する制御部を備えるユーザ端末。
【請求項３】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態は、ロングＤＲＸ状態及びショートＤＲＸ状態を含み、
前記ロングＤＲＸ状態又は前記ショートＤＲＸ状態において、自無線端末宛ての制御信号を受信しないＤＲＸサイクルが継続する期間又は自無線端末宛ての制御信号を受信しないＤＲＸサイクルの回数が第１の閾値を超えた場合、前記ロングＤＲＸ状態又は前記ショートＤＲＸ状態から、前記拡張ＤＲＸ状態に遷移する制御部を備えることを特徴とする無線端末。
【請求項４】
前記制御部は、基地局から受信する閾値情報に基づいて、前記第１の閾値を設定することを特徴とする請求項１に記載の無線端末。
【請求項５】
前記制御部は、前記拡張ＤＲＸ状態において、自無線端末宛ての制御信号を受信しないＤＲＸサイクルが継続する期間又は自無線端末宛ての制御信号を受信しないＤＲＸサイクルの回数が第２の閾値を超えた場合、前記拡張ＤＲＸ状態から前記ロングＤＲＸ状態に遷移することを特徴とする請求項１又は２に記載の無線端末。
【請求項６】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態において、前記拡張ＤＲＸ状態への遷移を指示するＭＡＣ制御要素を基地局から受信した場合、前記ＤＲＸ状態から前記拡張ＤＲＸ状態に遷移する制御部を備えることを特徴とする無線端末。
【請求項７】
前記ＤＲＸ状態は、ロングＤＲＸ状態を含み、
前記制御部は、前記ロングＤＲＸ状態において、前記ＭＡＣ制御要素を前記基地局から受信した場合、前記ロングＤＲＸ状態から前記拡張ＤＲＸ状態に遷移することを特徴とする請求項４に記載の無線端末。
【請求項８】
前記ＤＲＸ状態は、ショートＤＲＸ状態をさらに含み、
前記制御部は、前記ロングＤＲＸ状態において、前記ＭＡＣ制御要素を前記基地局から受信した場合、前記ショートＤＲＸ状態のための設定情報を有していても、前記ショートＤＲＸ状態に遷移することなく、前記拡張ＤＲＸ状態に遷移することを特徴とする請求項５に記載の無線端末。
【請求項９】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態は、ロングＤＲＸ状態及びショートＤＲＸ状態を含み、
前記拡張ＤＲＸ状態において、基地局へのデータ送信又は前記基地局からのデータ受信により前記ＤＲＸ状態に遷移する制御部を備え、
前記データ送信により前記ＤＲＸ状態に遷移した場合において適用可能なＤＲＸ状態と、前記データ受信により前記ＤＲＸ状態に遷移した場合において適用可能なＤＲＸ状態と、が異なることを特徴とする無線端末。
【請求項１０】
前記制御部は、前記データ受信により前記ロングＤＲＸ状態に遷移した場合、前記ショートＤＲＸ状態のための設定情報を有していても、前記ショートＤＲＸ状態に遷移を禁止することを特徴とする請求項７に記載の無線端末。
【請求項１１】
前記制御部は、前記データ送信により前記ロングＤＲＸ状態に遷移した場合、前記ショートＤＲＸ状態のための設定情報を有していれば、前記ショートＤＲＸ状態に遷移可能とすることを特徴とする請求項７又は８に記載の無線端末。
【請求項１２】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態は、ロングＤＲＸ状態及びショートＤＲＸ状態を含み、
前記ショートＤＲＸ状態において、前記ショートＤＲＸ状態から前記ロングＤＲＸ状態に遷移することなく、前記ショートＤＲＸ状態から前記拡張ＤＲＸ状態に遷移する制御部を備えることを特徴とする無線端末。
【請求項１３】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態は、ロングＤＲＸ状態及びショートＤＲＸ状態を含み、
前記拡張ＤＲＸ状態のための設定情報及び前記ショートＤＲＸ状態のための設定情報の両方を有する場合、前記ショートＤＲＸ状態のための設定情報を無視することを特徴とする無線端末。
【請求項１４】
アイドルモードにおいて、ＤＲＸ状態及び該ＤＲＸ状態に比べてページングサイクルが長い拡張ＤＲＸ状態の何れかで、下りリンク制御チャネルを間欠的に監視する無線端末であって、
前記ＤＲＸ状態において、自無線端末宛ての制御信号を受信しないページングサイクルが継続する期間又は自無線端末宛ての制御信号を受信しないページングサイクルの回数が第１の閾値を超えた場合、前記ＤＲＸ状態から前記拡張ＤＲＸ状態に遷移する制御部を備えることを特徴とする無線端末。
【発明の詳細な説明】
【技術分野】
【０００１】
本発明は、移動通信システムにおいて用いられる無線端末に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、無線端末の消費電力を削減するための間欠受信技術として、非連続受信（ＤＲＸ）が規定されている。コネクティッドモードにおいてＤＲＸ状態にある無線端末は、基地局から受信したＤＲＸ設定情報に基づいて、下りリンク制御チャネルを間欠的に監視する。下りリンク制御チャネルを監視する周期は「ＤＲＸサイクル」と称される。また、ＤＲＸサイクルごとに発生する監視期間は「オン期間（Ｏｎ  ｄｕｒａｔｉｏｎ）」と称される。【０００３】
近年、移動通信システムにおいて人が介在することなく無線端末が通信を行うマシンタイプコミュニケーション（ＭＴＣ）が注目されている。このような背景から、既存のＤＲＸサイクルよりも長い拡張ＤＲＸ（ｅｘｔｅｎｄｅｄ  ＤＲＸ）サイクルを新たに導入し、更なる消費電力の削減を図ることが検討されている（例えば、非特許文献１参照）。拡張ＤＲＸサイクルを使用するＤＲＸは拡張ＤＲＸと称される。【０００４】
なお、既存のＤＲＸは、ロングＤＲＸサイクルを使用するロングＤＲＸ及びショートＤＲＸサイクルを使用するショートＤＲＸを含む。ＤＲＸが無線端末に設定される場合において、３ＧＰＰの仕様上、ロングＤＲＸが必須機能であり、ショートＤＲＸはオプション機能である。
【先行技術文献】
【非特許文献】
【０００５】
【非特許文献１】３ＧＰＰ寄書「ＲＰ−１４１９９４」
【発明の概要】
【０００６】
第１の特徴に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記ＤＲＸ状態は、ロングＤＲＸ状態及びショートＤＲＸ状態を含む。前記無線端末は、前記ロングＤＲＸ状態又は前記ショートＤＲＸ状態において、自無線端末宛ての制御信号を受信しないＤＲＸサイクルが継続する期間又は自無線端末宛ての制御信号を受信しないＤＲＸサイクルの回数が第１の閾値を超えた場合、前記ロングＤＲＸ状態又は前記ショートＤＲＸ状態から、前記拡張ＤＲＸ状態に遷移する制御部を備える。
【０００７】
第２の特徴に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記無線端末は、前記ＤＲＸ状態において、前記拡張ＤＲＸ状態への遷移を指示するＭＡＣ制御要素を基地局から受信した場合、前記ＤＲＸ状態から前記拡張ＤＲＸ状態に遷移する制御部を備える。
【０００８】
第３の特徴に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記ＤＲＸ状態は、ロングＤＲＸ状態及びショートＤＲＸ状態を含む。前記無線端末は、前記拡張ＤＲＸ状態において、基地局へのデータ送信又は前記基地局からのデータ受信により前記ＤＲＸ状態に遷移する制御部を備える。前記データ送信により前記ＤＲＸ状態に遷移した場合において適用可能なＤＲＸ状態と、前記データ受信により前記ＤＲＸ状態に遷移した場合において適用可能なＤＲＸ状態と、が異なる。
【０００９】
第４の特徴に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記ＤＲＸ状態は、ロングＤＲＸ状態及びショートＤＲＸ状態を含む。前記無線端末は、前記ショートＤＲＸ状態において、前記ショートＤＲＸ状態から前記ロングＤＲＸ状態に遷移することなく、前記ショートＤＲＸ状態から前記拡張ＤＲＸ状態に遷移する制御部を備える。
【００１０】
第５の特徴に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記ＤＲＸ状態は、ロングＤＲＸ状態及びショートＤＲＸ状態を含む。前記無線端末は、前記拡張ＤＲＸ状態のための設定情報及び前記ショートＤＲＸ状態のための設定情報の両方を有する場合、前記ショートＤＲＸ状態のための設定情報を無視する。
【００１１】
第６の特徴に係る無線端末は、アイドルモードにおいて、ＤＲＸ状態及び該ＤＲＸ状態に比べてページングサイクルが長い拡張ＤＲＸ状態の何れかで、下りリンク制御チャネルを間欠的に監視する。前記無線端末は、前記ＤＲＸ状態において、自無線端末宛ての制御信号を受信しないページングサイクルが継続する期間又は自無線端末宛ての制御信号を受信しないページングサイクルの回数が第１の閾値を超えた場合、前記ＤＲＸ状態から前記拡張ＤＲＸ状態に遷移する制御部を備える。
【００１２】
第７の特徴に係る基地局は、第１のＤＲＸサイクルと、第２のＤＲＸサイクルと、第３のＤＲＸサイクルとのうちの少なくともいずれか一つを示す情報をユーザ端末に送信する送信部を備える。前記ＤＲＸサイクルは、基地局から送信される下りリンク制御チャネルをユーザ端末が間欠的に監視する周期を示し、前記第２のＤＲＸサイクルは、前記第１のＤＲＸサイクルよりも長い周期を有し、前記第３のＤＲＸサイクルは、前記第２のＤＲＸサイクルよりも長い周期を有する。
【００１３】
第８の特徴に係るユーザ端末は、ＲＲＣアイドル状態において、拡張ＤＲＸサイクルが設定されている場合、前記拡張ＤＲＸサイクルに従ってページングメッセージを監視する処理を実行する制御部を備える。
【図面の簡単な説明】
【００１４】
【図１】ＬＴＥシステムの構成図である。
【図２】無線インターフェイスのプロトコルスタック図である。
【図３】無線フレームの構成図である。
【図４】コネクティッドモードのＤＲＸ状態にあるＵＥの動作を示す図である。
【図５】コネクティッドモードにおけるＤＲＸパラメータの一例を示す図である。
【図６】基本的なＤＲＸ状態遷移を示す状態遷移図である。
【図７】ｅＮＢのブロック図である。
【図８】第１実施形態に係る拡張ＤＲＸの設定情報を示す図である。
【図９】ＵＥのブロック図である。
【図１０】第１実施形態に係るＤＲＸ状態遷移を説明するための図である。
【図１１】第２実施形態に係る「ｅＤＲＸ  Ｃｏｍｍａｎｄ  ＭＡＣ  ｃｏｎｔｒｏｌ  ｅｌｅｍｅｎｔ」を説明するための図である。
【図１２】第３実施形態に係るＤＲＸ状態遷移を示す状態遷移図である。
【図１３】第４実施形態に係るＤＲＸ状態遷移を示す状態遷移図である。
【図１４】第５実施形態に係るＤＲＸ状態遷移を示す状態遷移図である。
【発明を実施するための形態】
【００１５】
［実施形態の概要］
しかしながら、現状の３ＧＰＰの仕様においては、拡張ＤＲＸ状態と既存のＤＲＸ状態との間の状態遷移規則について規定されていないため、拡張ＤＲＸと既存のＤＲＸとの間の関係が不明確である。
【００１６】
そこで、本実施形態は、拡張ＤＲＸ状態と既存のＤＲＸ状態との間で適切な状態遷移を可能とする無線端末を提供する。
【００１７】
第１実施形態に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記ＤＲＸ状態は、ロングＤＲＸ状態及びショートＤＲＸ状態を含む。前記無線端末は、前記ロングＤＲＸ状態又は前記ショートＤＲＸ状態において、自無線端末宛ての制御信号を受信しないＤＲＸサイクルが継続する期間又は自無線端末宛ての制御信号を受信しないＤＲＸサイクルの回数が第１の閾値を超えた場合、前記ロングＤＲＸ状態又は前記ショートＤＲＸ状態から、前記拡張ＤＲＸ状態に遷移する制御部を備える。
【００１８】
第１実施形態において、前記制御部は、基地局から受信する閾値情報に基づいて、前記第１の閾値を設定する。
【００１９】
第１実施形態において、前記制御部は、前記拡張ＤＲＸ状態において、自無線端末宛ての制御信号を受信しないＤＲＸサイクルが継続する期間又は自無線端末宛ての制御信号を受信しないＤＲＸサイクルの回数が第２の閾値を超えた場合、前記拡張ＤＲＸ状態から前記ロングＤＲＸ状態に遷移する。
【００２０】
第２実施形態に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記無線端末は、前記ＤＲＸ状態において、前記拡張ＤＲＸ状態への遷移を指示するＭＡＣ制御要素を基地局から受信した場合、前記ＤＲＸ状態から前記拡張ＤＲＸ状態に遷移する制御部を備える。
【００２１】
第２実施形態において、前記ＤＲＸ状態は、ロングＤＲＸ状態を含む。前記制御部は、前記ロングＤＲＸ状態において、前記ＭＡＣ制御要素を前記基地局から受信した場合、前記ロングＤＲＸ状態から前記拡張ＤＲＸ状態に遷移する。
【００２２】
第２実施形態において、前記ＤＲＸ状態は、ショートＤＲＸ状態をさらに含む。前記制御部は、前記ロングＤＲＸ状態において、前記ＭＡＣ制御要素を前記基地局から受信した場合、前記ショートＤＲＸ状態のための設定情報を有していても、前記ショートＤＲＸ状態に遷移することなく、前記拡張ＤＲＸ状態に遷移する。
【００２３】
第３実施形態に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記ＤＲＸ状態は、ロングＤＲＸ状態及びショートＤＲＸ状態を含む。前記無線端末は、前記拡張ＤＲＸ状態において、基地局へのデータ送信又は前記基地局からのデータ受信により前記ＤＲＸ状態に遷移する制御部を備える。前記データ送信により前記ＤＲＸ状態に遷移した場合において適用可能なＤＲＸ状態と、前記データ受信により前記ＤＲＸ状態に遷移した場合において適用可能なＤＲＸ状態と、が異なる。
【００２４】
第３実施形態において、前記制御部は、前記データ受信により前記ロングＤＲＸ状態に遷移した場合、前記ショートＤＲＸ状態のための設定情報を有していても、前記ショートＤＲＸ状態に遷移を禁止する。
【００２５】
第３実施形態において、前記制御部は、前記データ送信により前記ロングＤＲＸ状態に遷移した場合、前記ショートＤＲＸ状態のための設定情報を有していれば、前記ショートＤＲＸ状態に遷移可能とする。
【００２６】
第４実施形態に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記ＤＲＸ状態は、ロングＤＲＸ状態及びショートＤＲＸ状態を含む。前記無線端末は、前記ショートＤＲＸ状態において、前記ショートＤＲＸ状態から前記ロングＤＲＸ状態に遷移することなく、前記ショートＤＲＸ状態から前記拡張ＤＲＸ状態に遷移する制御部を備える。
【００２７】
第５実施形態に係る無線端末は、コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する。前記ＤＲＸ状態は、ロングＤＲＸ状態及びショートＤＲＸ状態を含む。前記無線端末は、前記拡張ＤＲＸ状態のための設定情報及び前記ショートＤＲＸ状態のための設定情報の両方を有する場合、前記ショートＤＲＸ状態のための設定情報を無視する。
【００２８】
その他の実施形態に係る無線端末は、アイドルモードにおいて、ＤＲＸ状態及び該ＤＲＸ状態に比べてページングサイクルが長い拡張ＤＲＸ状態の何れかで、下りリンク制御チャネルを間欠的に監視する。前記無線端末は、前記ＤＲＸ状態において、自無線端末宛ての制御信号を受信しないページングサイクルが継続する期間又は自無線端末宛ての制御信号を受信しないページングサイクルの回数が第１の閾値を超えた場合、前記ＤＲＸ状態から前記拡張ＤＲＸ状態に遷移する制御部を備える。
【００２９】
一実施形態に係る基地局は、第１のＤＲＸサイクルと、第２のＤＲＸサイクルと、第３のＤＲＸサイクルとのうちの少なくともいずれか一つを示す情報をユーザ端末に送信する送信部を備える。前記ＤＲＸサイクルは、基地局から送信される下りリンク制御チャネルをユーザ端末が間欠的に監視する周期を示し、前記第２のＤＲＸサイクルは、前記第１のＤＲＸサイクルよりも長い周期を有し、前記第３のＤＲＸサイクルは、前記第２のＤＲＸサイクルよりも長い周期を有する。
【００３０】
一実施形態に係るユーザ端末は、ＲＲＣアイドル状態において、拡張ＤＲＸサイクルが設定されている場合、前記拡張ＤＲＸサイクルに従ってページングメッセージを監視する処理を実行する制御部を備える。
【００３１】
［第１実施形態］
（移動通信システム）
以下において、第１実施形態に係る移動通信システムであるＬＴＥシステムについて説明する。図１は、ＬＴＥシステムの構成を示す図である。
【００３２】
図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００３３】
ＵＥ１００は、無線端末に相当する。ＵＥ１００は、移動型の通信装置であり、セル（サービングセル）との無線通信を行う。ＵＥ１００の構成については後述する。
【００３４】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００３５】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００３６】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００３７】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００３９】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００４１】
ＰＤＣＰ層は、ヘッダ圧縮・伸張、及び暗号化・復号化を行う。
【００４２】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモード（コネクティッドモード）であり、そうでない場合、ＵＥ１００はＲＲＣアイドルモード（アイドルモード）である。
【００４３】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００４４】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４５】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００４６】
下りリンクにおいて、各サブフレームの先頭数シンボルの区間は、主に下りリンク制御信号を伝送するための物理下りリンク制御チャネル（ＰＤＣＣＨ）として使用される領域である。ＰＤＣＣＨの詳細については後述する。また、各サブフレームの残りの部分は、主に下りリンクデータを伝送するための物理下りリンク共有チャネル（ＰＤＳＣＨ）として使用できる領域である。
【００４７】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。
【００４８】
（コネクティッドモードにおけるＤＲＸ）
以下において、コネクティッドモードにおけるＤＲＸについて説明する。図４は、コネクティッドモードのＤＲＸ状態にあるＵＥ１００の動作を示す図である。図５は、コネクティッドモードにおけるＤＲＸパラメータの一例を示す図である。
【００４９】
図４に示すように、コネクティッドモードにおいてＤＲＸ状態にあるＵＥ１００は、ＰＤＣＣＨを間欠的に監視する。ＰＤＣＣＨを監視する周期は「ＤＲＸサイクル（ＤＲＸ  Ｃｙｃｌｅ）」と称される。また、ＤＲＸサイクルごとに発生する監視期間は「オン期間（Ｏｎ  ｄｕｒａｔｉｏｎ）」と称される。「Ｏｎ  ｄｕｒａｔｉｏｎ」は、「ウェイクアップ期間」と称されることもある。ＰＤＣＣＨを監視しなくてもよい期間は、「スリープ期間」（又は「Ｏｐｐｏｒｔｕｎｉｔｙ  ｆｏｒ  ＤＲＸ」）と称されることもある。
【００５０】
下りリンクデータはＰＤＳＣＨを介して伝送され、ＰＤＳＣＨのスケジューリング情報がＰＤＣＣＨに含まれている。ＵＥ１００は、「Ｏｎ  ｄｕｒａｔｉｏｎ」においてＰＤＣＣＨを介してスケジューリング情報を検出した場合、スケジューリング情報により指定されたデータを受信することができる。
【００５１】
図５に示すように、既存のＤＲＸサイクルには、ショートＤＲＸサイクル及びロングＤＲＸサイクルがある。ショートＤＲＸサイクル及びロングＤＲＸサイクルは、「Ｏｎ  ｄｕｒａｔｉｏｎ」は同じで、スリープ期間の長さが異なる。例えば、「Ｏｎ  ｄｕｒａｔｉｏｎ」は、１ｍｓから２００ｍｓまでの間で「Ｏｎ  ｄｕｒａｔｉｏｎ  ｔｉｍｅｒ」により設定が可能である。ロングＤＲＸサイクル（及びオフセット時間）は「ｌｏｎｇＤＲＸ−ＣｙｃｌｅＳｔａｒｔＯｆｆｓｅｔ」により設定され、ショートＤＲＸサイクルは「ｓｈｏｒｔＤＲＸ−Ｃｙｃｌｅ」により設定される。なお、ＤＲＸが設定される場合において、３ＧＰＰの仕様上、ロングＤＲＸが必須機能であり、ショートＤＲＸはオプション機能である。よって、ショートＤＲＸサイクルは、ＵＥ１００に設定されないことがある。
【００５２】
ＤＲＸは、下記のような複数のタイマに基づいて制御される。
【００５３】
「ｄｒｘ−ＩｎａｃｔｉｖｉｔｙＴｉｍｅｒ」  上りリンク（ＵＬ）或いは下りリンク（ＤＬ）のユーザデータのスケジューリングを示すＰＤＣＣＨを正しく復号した後の連続するサブフレーム（ＰＤＣＣＨサブフレーム）の数
【００５４】
「ＨＡＲＱ  ＲＴＴ  Ｔｉｍｅｒ」  ＤＬのＨＡＲＱ再送が行われるまでの最小サブフレーム数
【００５５】
「ｄｒｘ−ＲｅｔｒａｎｓｍｉｓｓｉｏｎＴｉｍｅｒ」  再送に使用される期間
【００５６】
ＵＥ１００は、「Ｏｎ  ｄｕｒａｔｉｏｎ」中に新規ＤＬデータを受信すると「ｄｒｘ−ＩｎａｃｔｉｖｉｔｙＴｉｍｅｒ」を起動する。同時に、「ＨＡＲＱ  ＲＴＴ  Ｔｉｍｅｒ」を起動する。ＤＬデータを正しく復号できなかった場合、「ＨＡＲＱ  ＲＴＴ  Ｔｉｍｅｒ」が満了すると同時に「ｄｒｘ−ＲｅｔｒａｎｓｍｉｓｓｉｏｎＴｉｍｅｒ」を起動する。ＵＥ１００は、ＤＬデータの再送を受け、正しく復号できた場合、「ｄｒｘ−ＲｅｔｒａｎｓｍｉｓｓｉｏｎＴｉｍｅｒ」を停止する。そして、「ｄｒｘ−ＩｎａｃｔｉｖｉｔｙＴｉｍｅｒ」が満了すると同時にスリープ期間に移る。
【００５７】
なお、「Ｏｎ  ｄｕｒａｔｉｏｎ  ｔｉｍｅｒ」、「ｄｒｘ−ＩｎａｃｔｉｖｉｔｙＴｉｍｅｒ」、「ｄｒｘ−ＲｅｔｒａｎｓｍｉｓｓｉｏｎＴｉｍｅｒ」が動作中の状態は、「Ａｃｔｉｖｅ状態」と称される。ＵＥ１００は、「Ａｃｔｉｖｅ状態」においてＰＤＣＣＨを監視する。「Ａｃｔｉｖｅ状態」ではないＤＲＸ状態は「Ｉｎａｃｔｉｖｅ状態」と称される。
【００５８】
次に、ショートＤＲＸサイクルが設定された場合におけるショートＤＲＸ状態（ショートＤＲＸサイクルを使用する状態）とロングＤＲＸ状態（ロングＤＲＸサイクルを使用する状態）との間の状態遷移について説明する。基本的に、ＵＥ１００は、ショートＤＲＸからスタートし、「ｄｒｘＳｈｏｒｔＣｙｃｌｅＴｉｍｅｒ」により設定された期間が経過するとロングＤＲＸ状態に遷移する。
【００５９】
ＵＥ１００は、ＤＬデータを正しく復号できた時点で、「ｄｒｘＳｈｏｒｔＣｙｃｌｅＴｉｍｅｒ」を起動する。ＵＥ１００は、「ｄｒｘＳｈｏｒｔＣｙｃｌｅＴｉｍｅｒ」の動作中に新規データ受信を行った場合、当該データが正しく復号できた時点で再び「ｄｒｘＳｈｏｒｔＣｙｃｌｅＴｉｍｅｒ」を再開させる。一方、「ｄｒｘＳｈｏｒｔＣｙｃｌｅＴｉｍｅｒ」が満了するまでに新規データ受信を行わなかった場合、ショートＤＲＸからロングＤＲＸへと状態遷移する。そして、ロングＤＲＸに遷移した後に新規データを受信した場合、再びロングＤＲＸからショートＤＲＸへと状態遷移する。
【００６０】
上述したＤＲＸの各パラメータを含む設定情報（「Ｏｎ  ｄｕｒａｔｉｏｎ」、各種タイマ、ロングＤＲＸサイクル、ショートＤＲＸサイクル等）は、個別ＲＲＣメッセージ中の情報要素である「ＤＲＸ−Ｃｏｎｆｉｇ」によりＵＥ１００に設定される。
【００６１】
第１実施形態において、主にマシンタイプコミュニケーション（ＭＴＣ）をサポートするために、既存のＤＲＸサイクルよりも長い拡張ＤＲＸ（ｅｘｔｅｎｄｅｄ  ＤＲＸ）サイクルを新たに導入する。図５の例では、拡張ＤＲＸサイクルは、２５６０サブフレーム以上の時間長を有する。ｅＮＢ２００がＵＥ１００に拡張ＤＲＸを設定する場合、ｅＮＢ２００は、当該ＵＥ１００をＭＴＣ端末、すなわち、移動しない無線端末とみなしていることが想定される。
【００６２】
拡張ＤＲＸの設定情報は、既存の「ＤＲＸ−Ｃｏｎｆｉｇ」とは異なる情報要素として規定される。すなわち、拡張ＤＲＸの設定情報である「ＤＲＸ−Ｃｏｎｆｉｇ−ｖ１３ｘｘ」は、既存のＤＲＸの設定情報である「ＤＲＸ−Ｃｏｎｆｉｇ」とは異なる。「ＤＲＸ−Ｃｏｎｆｉｇ−ｖ１３ｘｘ」は、「Ｏｎ  ｄｕｒａｔｉｏｎ」及び各種タイマ等のパラメータを「ＤＲＸ−Ｃｏｎｆｉｇ」とは別に有していてもよい。
【００６３】
（基本的なＤＲＸ状態遷移）
以下において、基本的なＤＲＸ状態遷移について説明する。図６は、基本的なＤＲＸ状態遷移を示す状態遷移図である。
【００６４】
ここでは、ロングＤＲＸサイクル及び拡張ＤＲＸサイクルの両方がＵＥ１００に設定されている場合を想定する。ショートＤＲＸサイクルは、ＵＥ１００に設定されていてもよいし、ＵＥ１００に設定されていなくてもよい。
【００６５】
以下において、ショートＤＲＸサイクルに従うＤＲＸ状態を「ショートＤＲＸ状態ＳＴ１」と称する。ロングＤＲＸサイクルに従うＤＲＸ状態を「ロングＤＲＸ状態ＳＴ２」と称する。拡張ＤＲＸサイクルに従うＤＲＸ状態を「拡張ＤＲＸ状態ＳＴ３」と称する。
【００６６】
ＵＥ１００は、既存のＤＲＸ状態のためのＤＲＸ設定情報（ＤＲＸ−Ｃｏｎｆｉｇ）と、拡張ＤＲＸ状態のためのＤＲＸ設定情報（ＤＲＸ−Ｃｏｎｆｉｇ−ｖ１３ｘｘ）と、を有している。上述したように、「ＤＲＸ−Ｃｏｎｆｉｇ」及び「ＤＲＸ−Ｃｏｎｆｉｇ−ｖ１３ｘｘ」は、ｅＮＢ２００からＵＥ１００に対して個別ＲＲＣメッセージにより送信及び設定される。
【００６７】
図６に示すように、ショートＤＲＸサイクルが設定されているＵＥ１００は、ショートＤＲＸ状態ＳＴ１とロングＤＲＸ状態ＳＴ２との間で遷移する。また、ショートＤＲＸサイクルが設定されているＵＥ１００は、ショートＤＲＸ状態ＳＴ１と拡張ＤＲＸ状態ＳＴ３との間で遷移する。ショートＤＲＸ状態ＳＴ１とロングＤＲＸ状態ＳＴ２との間の状態遷移には、既存の状態遷移規則を適用可能である。ショートＤＲＸ状態ＳＴ１と拡張ＤＲＸ状態ＳＴ３との間の状態遷移には、既存の状態遷移規則を流用してもよい。
【００６８】
ロングＤＲＸ状態ＳＴ２と拡張ＤＲＸ状態ＳＴ３との間の状態遷移には、現状、状態遷移規則が規定されていない。第１実施形態においては、ロングＤＲＸ状態ＳＴ２と拡張ＤＲＸ状態ＳＴ３との間の状態遷移、特に、ロングＤＲＸ状態ＳＴ２から拡張ＤＲＸ状態ＳＴ３への状態遷移について主として説明する。
【００６９】
（基地局）
以下において、第１実施形態に係るｅＮＢ２００（基地局）の構成について説明する。図７は、ｅＮＢ２００のブロック図である。図７に示すように、ｅＮＢ２００は、送信部２１０、受信部２２０、制御部２３０、及びバックホール通信部２４０を備える。
【００７０】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００７１】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００７２】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００７３】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００７４】
このように構成されたｅＮＢ２００において、バックホール通信部２４０は、Ｓ１インターフェイス上で「Ｅｘｐｅｃｔｅｄ  ＵＥ  Ｂｅｈａｖｉｏｕｒ  ＩＥ」を受信する。「Ｅｘｐｅｃｔｅｄ  ＵＥ  Ｂｅｈａｖｉｏｕｒ  ＩＥ」は、「Ｅｘｐｅｃｔｅｄ  ＨＯ  Ｉｎｔｅｒｖａｌ」、「Ｅｘｐｅｃｔｅｄ  Ａｃｔｉｖｉｔｙ  Ｐｅｒｉｏｄ」、「Ｅｘｐｅｃｔｅｄ  Ｉｄｌｅ  Ｐｅｒｉｏｄ」、「ｓｏｕｒｃｅ  ｏｆ  ｕｅ  ａｃｔｉｖｉｔｙ  ｂｅｈａｖｉｏｕｒ  ｉｎｆｏｒｍａｔｉｏｎ」を含む。「Ｅｘｐｅｃｔｅｄ  ＨＯ  Ｉｎｔｅｒｖａｌ」は、ＵＥ１００のハンドオーバの間隔期待値である。「Ｅｘｐｅｃｔｅｄ  Ａｃｔｉｖｉｔｙ  Ｐｅｒｉｏｄ」は、ＵＥ１００のアクティブ期間期待値である。「Ｅｘｐｅｃｔｅｄ  Ｉｄｌｅ  Ｐｅｒｉｏｄ」は、ＵＥ１００のアイドル期間期待値である。「ｓｏｕｒｃｅ  ｏｆ  ｕｅ  ａｃｔｉｖｉｔｙ  ｂｅｈａｖｉｏｕｒ  ｉｎｆｏｒｍａｔｉｏｎ」は、上記期待値の計算元（加入者情報又は統計情報）の情報である。制御部２３０は、「Ｅｘｐｅｃｔｅｄ  ＵＥ  Ｂｅｈａｖｉｏｕｒ  ＩＥ」に基づいて、ＵＥ１００に拡張ＤＲＸを設定するか否かを判断する。例えば、移動しないＵＥ１００については、拡張ＤＲＸを設定すると判断し、拡張ＤＲＸの設定情報を当該ＵＥ１００に送信する。
【００７５】
送信部１２０は、ＵＥ１００に閾値を設定するための閾値情報をＵＥ１００に送信する。閾値は、後述する第１の閾値を含む。閾値は、後述する第２の閾値を含んでもよい。閾値情報は、閾値を直接的に示す値であってもよいし、基準値に対する閾値の差分値（オフセット値）であってもよい。
【００７６】
第１実施形態において、送信部１２０は、拡張ＤＲＸの設定情報に閾値情報を含める。図８は、第１実施形態に係る拡張ＤＲＸの設定情報（ＤＲＸ−Ｃｏｎｆｉｇ−ｖ１３ｘｘ）を示す図である。図８に示すように、「ＤＲＸ−Ｃｏｎｆｉｇ−ｖ１３ｘｘ」は、拡張ＤＲＸサイクル（ｅｘｔｅｎｄｅｄＤＲＸ−Ｃｙｃｌｅ）に加えて、閾値情報（Ｔｉｍｅｒ又はＣｏｕｎｔｅｒ）を含む。
【００７７】
（無線端末）
以下において、第１実施形態に係るＵＥ１００（無線端末）について説明する。図９は、ＵＥ１００のブロック図である。図９に示すように、ＵＥ１００は、受信部１１０、送信部１２０、及び制御部１３０を備える。
【００７８】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００７９】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００８０】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００８１】
このように構成されたＵＥ１００において、受信部１１０は、コネクティッドモードにおいて、ＤＲＸの設定情報（ＤＲＸ−Ｃｏｎｆｉｇ）及び拡張ＤＲＸの設定情報（ＤＲＸ−Ｃｏｎｆｉｇ−ｖ１３ｘｘ）をｅＮＢ２００から受信する。制御部１３０は、「ＤＲＸ−Ｃｏｎｆｉｇ」及び「ＤＲＸ−Ｃｏｎｆｉｇ−ｖ１３ｘｘ」を保存し、「ＤＲＸ−Ｃｏｎｆｉｇ」及び「ＤＲＸ−Ｃｏｎｆｉｇ−ｖ１３ｘｘ」に基づくコネクティッドモードのＤＲＸ状態に遷移する。「ＤＲＸ−Ｃｏｎｆｉｇ」には、ショートＤＲＸサイクルの設定情報（ｓｈｏｒｔＤＲＸ−Ｃｙｃｌｅ）が含まれてもよいし、「ｓｈｏｒｔＤＲＸ−Ｃｙｃｌｅ」が含まれなくてもよい。
【００８２】
制御部１３０は、「ＤＲＸ−Ｃｏｎｆｉｇ−ｖ１３ｘｘ」に含まれる閾値情報に基づいて、閾値情報（第１の閾値、第２の閾値）を設定する。後述するように、制御部１３０は、タイマ又はカウンタを使用して、ロングＤＲＸ状態ＳＴ２から拡張ＤＲＸ状態ＳＴ３への状態遷移を制御する。カウントアップ方式のタイマ又はカウンタを使用する場合、閾値は、タイマ又はカウンタの値と比較される値である。カウントダウン方式のタイマ又はカウンタを使用する場合、閾値は、タイマ又はカウンタの値である。以下においては、カウントアップ方式のタイマ又はカウンタを使用する場合を主として想定する。
【００８３】
制御部１３０は、コネクティッドモードにおいて、ロングＤＲＸ状態ＳＴ２及び該ロングＤＲＸ状態ＳＴ２に比べてＤＲＸサイクルが長い拡張ＤＲＸ状態ＳＴ３の何れかで、下りリンク制御チャネル（ＰＤＣＣＨ）を間欠的に監視する（図６参照）。
【００８４】
制御部１３０は、ロングＤＲＸ状態ＳＴ２において、自ＵＥ宛ての制御信号を受信しないＤＲＸサイクルが継続する期間又は自ＵＥ宛ての制御信号を受信しないＤＲＸサイクルの回数が第１の閾値を超えた場合、ロングＤＲＸ状態ＳＴ２から拡張ＤＲＸ状態ＳＴ３に遷移する。
【００８５】
具体的には、ＤＲＸ状態遷移のパターン１において、制御部１３０は、自ＵＥ宛ての制御信号を受信しないＤＲＸサイクルが継続する期間をタイマで計測し、タイマ値が第１の閾値を超えた場合、ロングＤＲＸ状態ＳＴ２から拡張ＤＲＸ状態ＳＴ３に遷移する。
【００８６】
ＤＲＸ状態遷移のパターン２において、制御部１３０は、自ＵＥ宛ての制御信号を受信しないＤＲＸサイクルの回数をカウンタで計測し、カウンタ値が第１の閾値を超えた場合、ロングＤＲＸ状態ＳＴ２から拡張ＤＲＸ状態ＳＴ３に遷移する。なお、カウンタは、連続的に自ＵＥ宛ての制御信号を受信しないＤＲＸサイクルが発生した場合にインクリメントするが、一旦、自ＵＥ宛ての制御信号を受信するＤＲＸサイクルが発生した場合には、それまでのカウンタ値をリセットしてもよい。
【００８７】
（第１実施形態に係るＤＲＸ状態遷移）
図１０は、第１実施形態に係るＤＲＸ状態遷移を説明するための図である。
【００８８】
（１）ＤＲＸ状態遷移のパターン１
先ず、第１実施形態に係るＤＲＸ状態遷移のパターン１について説明する。
【００８９】
図１０に示すように、ロングＤＲＸ状態ＳＴ２において、制御部１３０は、タイマを管理する。制御部１３０は、ロングＤＲＸ状態ＳＴ２の「Ｏｎ  ｄｕｒａｔｉｏｎ」（Ａｃｔｉｖｅ状態）において、ＰＤＣＣＨを介して自ＵＥ宛ての制御信号を受信した場合、タイマをリセットする。これに対し、ロングＤＲＸ状態ＳＴ２の「Ｏｎ  ｄｕｒａｔｉｏｎ」（Ａｃｔｉｖｅ状態）において、ＰＤＣＣＨを介して自ＵＥ宛ての制御信号を受信しない場合、タイマを起動（Ｓｔａｒｔ）する。制御部１３０は、その後の「Ｏｎ  ｄｕｒａｔｉｏｎ」（Ａｃｔｉｖｅ状態）において、ＰＤＣＣＨを介して自ＵＥ宛ての制御信号を受信するまで、タイマを動作させる。そして、タイマ値が第１の閾値（Ｎサブフレーム数又はＮ無線フレーム数）を超えた場合、ロングＤＲＸ状態ＳＴ２から拡張ＤＲＸ状態ＳＴ３に遷移する。
【００９０】
また、制御部１３０は、拡張ＤＲＸ状態ＳＴ３においても同様に、タイマを管理してもよい。制御部１３０は、拡張ＤＲＸ状態ＳＴ３の「Ｏｎ  ｄｕｒａｔｉｏｎ」（Ａｃｔｉｖｅ状態）において、ＰＤＣＣＨを介して自ＵＥ宛ての制御信号を受信した場合、タイマをリセットする。これに対し、拡張ＤＲＸ状態ＳＴ３の「Ｏｎ  ｄｕｒａｔｉｏｎ」（Ａｃｔｉｖｅ状態）において、ＰＤＣＣＨを介して自ＵＥ宛ての制御信号を受信しない場合、タイマを起動（Ｓｔａｒｔ）する。制御部１３０は、その後の「Ｏｎ  ｄｕｒａｔｉｏｎ」（Ａｃｔｉｖｅ状態）において、ＰＤＣＣＨを介して自ＵＥ宛ての制御信号を受信するまで、タイマを動作させる。そして、タイマ値が第２の閾値を超えた場合、拡張ＤＲＸ状態ＳＴ３からロングＤＲＸ状態ＳＴ２に遷移する。
【００９１】
（２）ＤＲＸ状態遷移のパターン２
次に、第１実施形態に係るＤＲＸ状態遷移のパターン２について説明する。
【００９２】
図１０に示すように、ロングＤＲＸ状態ＳＴ２において、制御部１３０は、カウンタを管理する。制御部１３０は、ロングＤＲＸ状態ＳＴ２の「Ｏｎ  ｄｕｒａｔｉｏｎ」（Ａｃｔｉｖｅ状態）において、ＰＤＣＣＨを介して自ＵＥ宛ての制御信号を受信した場合、カウンタをリセットする。これに対し、ロングＤＲＸ状態ＳＴ２の「Ｏｎ  ｄｕｒａｔｉｏｎ」（Ａｃｔｉｖｅ状態）において、ＰＤＣＣＨを介して自ＵＥ宛ての制御信号を受信しない場合、カウンタをインクリメント（すなわち、１を加算）する。制御部１３０は、その後の「Ｏｎ  ｄｕｒａｔｉｏｎ」（Ａｃｔｉｖｅ状態）において、ＰＤＣＣＨを介して自ＵＥ宛ての制御信号を受信するまで、「Ｏｎ  ｄｕｒａｔｉｏｎ」（Ａｃｔｉｖｅ状態）ごとにカウンタをインクリメントする。そして、カウンタ値が第１の閾値を超えた場合、ロングＤＲＸ状態ＳＴ２から拡張ＤＲＸ状態ＳＴ３に遷移する。
【００９３】
また、制御部１３０は、拡張ＤＲＸ状態ＳＴ３においても同様に、カウンタを管理してもよい。制御部１３０は、拡張ＤＲＸ状態ＳＴ３の「Ｏｎ  ｄｕｒａｔｉｏｎ」（Ａｃｔｉｖｅ状態）において、ＰＤＣＣＨを介して自ＵＥ宛ての制御信号を受信した場合、カウンタをリセットする。これに対し、拡張ＤＲＸ状態ＳＴ３の「Ｏｎ  ｄｕｒａｔｉｏｎ」（Ａｃｔｉｖｅ状態）において、ＰＤＣＣＨを介して自ＵＥ宛ての制御信号を受信しない場合、カウンタをインクリメントする。制御部１３０は、その後の「Ｏｎ  ｄｕｒａｔｉｏｎ」（Ａｃｔｉｖｅ状態）において、ＰＤＣＣＨを介して自ＵＥ宛ての制御信号を受信するまで、「Ｏｎ  ｄｕｒａｔｉｏｎ」（Ａｃｔｉｖｅ状態）ごとにカウンタをインクリメントする。そして、カウンタ値が第２の閾値を超えた場合、拡張ＤＲＸ状態ＳＴ３からロングＤＲＸ状態ＳＴ２に遷移する。
【００９４】
このように、第１実施形態によれば、ロングＤＲＸ状態ＳＴ２において、自ＵＥ宛ての制御信号をある程度の期間受信しない場合（すなわち、自ＵＥ宛てのデータをある程度の期間受信しない場合）、ロングＤＲＸ状態ＳＴ２から拡張ＤＲＸ状態ＳＴ３に遷移させることができる。  
【００９５】
［第２実施形態］
第２実施形態について、第１実施形態との相違点を主として説明する。第２実施形態は、ｅＮＢ２００の指示により強制的にＵＥ１００を拡張ＤＲＸ状態ＳＴ３に遷移させる実施形態である。
【００９６】
第２実施形態に係るＵＥ１００は、コネクティッドモードにおいて、ＤＲＸ状態（ショートＤＲＸ状態ＳＴ１又はロングＤＲＸ状態ＳＴ２）及び該ＤＲＸ状態に比べてＤＲＸサイクルが長い拡張ＤＲＸ状態ＳＴ３の何れかで、下りリンク制御チャネル（ＰＤＣＣＨ）を間欠的に監視する。ＵＥ１００の制御部１３０は、ＤＲＸ状態において、拡張ＤＲＸ状態ＳＴ３の開始を指示するＭＡＣ制御要素（ｅＤＲＸ  Ｃｏｍｍａｎｄ  ＭＡＣ  ｃｏｎｔｒｏｌ  ｅｌｅｍｅｎｔ）をｅＮＢ２００から受信した場合、ＤＲＸ状態から拡張ＤＲＸ状態ＳＴ３に遷移する。
【００９７】
図１１は、第２実施形態に係る「ｅＤＲＸ  Ｃｏｍｍａｎｄ  ＭＡＣ  ｃｏｎｔｒｏｌ  ｅｌｅｍｅｎｔ」を説明するための図である。
【００９８】
図１１に示すように、現状の３ＧＰＰの仕様において、「ＭＡＣ  ｓｕｂｈｅａｄｅｒ」は、「１１１１０」のインデックスで示される「ＤＲＸ  Ｃｏｍｍａｎｄ」のフィールドを有する。「ＤＲＸ  Ｃｏｍｍａｎｄ」は、ｅＮＢ２００がＵＥ１００を非ＤＲＸ状態（ＤＲＸ設定を有するもののＤＲＸ設定が有効でない状態）からＤＲＸ状態に遷移させるために使用される。また、現状の仕様において、「ＭＡＣ  ｓｕｂｈｅａｄｅｒ」は、「０１０１１」乃至「１１０１０」のインデックスは未使用として確保（Ｒｅｓｅｒｖｅｄ）されている。例えば、確保されている「１１０１０」のインデックスを「ｅＤＲＸ  Ｃｏｍｍａｎｄ」として使用することが可能である。
【００９９】
第２実施形態において、制御部１３０は、ロングＤＲＸ状態ＳＴ２において、「ｅＤＲＸ  Ｃｏｍｍａｎｄ  ＭＡＣ  ｃｏｎｔｒｏｌ  ｅｌｅｍｅｎｔ」をｅＮＢ２００から受信した場合、ロングＤＲＸ状態ＳＴ２から拡張ＤＲＸ状態ＳＴ３に遷移する。また、制御部１３０は、ロングＤＲＸ状態ＳＴ２において、「ｅＤＲＸ  Ｃｏｍｍａｎｄ  ＭＡＣ  ｃｏｎｔｒｏｌ  ｅｌｅｍｅｎｔ」をｅＮＢ２００から受信した場合、ショートＤＲＸ状態ＳＴ１のための設定情報（ｓｈｏｒｔＤＲＸ−Ｃｙｃｌｅ）を有していても、ショートＤＲＸ状態ＳＴ１に遷移することなく、拡張ＤＲＸ状態ＳＴ３に遷移する。
【０１００】
制御部１３０は、「ｅＤＲＸ  Ｃｏｍｍａｎｄ  ＭＡＣ  ｃｏｎｔｒｏｌ  ｅｌｅｍｅｎｔ」をｅＮＢ２００から受信したサブフレームから、拡張ＤＲＸ設定情報（ＤＲＸ−Ｃｏｎｆｉｇ−ｖ１３ｘｘ）に従う拡張ＤＲＸ状態ＳＴ３に遷移する。また、制御部１３０は、「ｅＤＲＸ  Ｃｏｍｍａｎｄ  ＭＡＣ  ｃｏｎｔｒｏｌ  ｅｌｅｍｅｎｔ」をｅＮＢ２００から受信した際に、「Ｏｎ  ｄｕｒａｔｉｏｎ  ｔｉｍｅｒ」が動作（起動）している場合、「Ｏｎ  ｄｕｒａｔｉｏｎ  ｔｉｍｅｒ」を停止させる。また、制御部１３０は、「ｅＤＲＸ  Ｃｏｍｍａｎｄ  ＭＡＣ  ｃｏｎｔｒｏｌ  ｅｌｅｍｅｎｔ」をｅＮＢ２００から受信した際に、「ｄｒｘ−ＩｎａｃｔｉｖｉｔｙＴｉｍｅｒ」が動作（起動）している場合、「ｄｒｘ−ＩｎａｃｔｉｖｉｔｙＴｉｍｅｒ」を停止させる。
【０１０１】
第２実施形態によれば、ｅＮＢ２００の指示により強制的にＵＥ１００を拡張ＤＲＸ状態ＳＴ３に遷移させることができる。
【０１０２】
［第３実施形態］
第３実施形態について、第１実施形態との相違点を主として説明する。
【０１０３】
第３実施形態は、ＵＥ１００を拡張ＤＲＸ状態ＳＴ３から既存のＤＲＸ状態に遷移させる実施形態である。
【０１０４】
図１２は、第３実施形態に係るＤＲＸ状態遷移を示す状態遷移図である。
【０１０５】
図１２に示すように、ＵＥ１００の制御部１３０は、拡張ＤＲＸ状態ＳＴ３において、ｅＮＢ２００へのデータ送信又はｅＮＢ２００からのデータ受信によりＤＲＸ状態（既存のＤＲＸ状態）に遷移する。データ受信とは、ＰＤＣＣＨを介して自ＵＥ宛ての制御信号を受信し、ＰＤＳＣＨを介してデータを受信することをいう。データ送信とは、ＰＵＳＣＨを介してデータを送信することをいう。
【０１０６】
第３実施形態において、ｅＮＢ２００へのデータ送信によりＤＲＸ状態に遷移した場合において適用可能なＤＲＸ状態と、ｅＮＢ２００からのデータ受信によりＤＲＸ状態に遷移した場合において適用可能なＤＲＸ状態と、が異なる。
【０１０７】
制御部１３０は、データ受信により既存のＤＲＸ状態に遷移した場合、ショートＤＲＸ状態ＳＴ１のための設定情報（ｓｈｏｒｔＤＲＸ−Ｃｙｃｌｅ）を有していても、ショートＤＲＸ状態ＳＴ１に遷移することなく、ロングＤＲＸ状態ＳＴ２ａに遷移する。すなわち、ロングＤＲＸ状態ＳＴ２ａは、ショートＤＲＸ状態ＳＴ１への遷移が禁止される特殊なロングＤＲＸ状態である。
【０１０８】
データ受信の場合、ｅＮＢ２００から単発でデータを受信する場合が想定される。よって、ショートＤＲＸ状態ＳＴ１に遷移しないようにすることで、ショートＤＲＸ状態ＳＴ１への遷移を許容する場合に比べて消費電力を削減することができる。
【０１０９】
これに対し、データ送信によりＤＲＸ状態に遷移した場合、制御部１３０は、ショートＤＲＸ状態ＳＴ１のための設定情報を有していればショートＤＲＸ状態ＳＴ１に遷移可能なロングＤＲＸ状態ＳＴ２ｂに遷移する。すなわち、ロングＤＲＸ状態ＳＴ２ｂは、ショートＤＲＸ状態ＳＴ１への遷移が許容される通常のロングＤＲＸ状態である。なお、「データ送信によりＤＲＸ状態に遷移」とは、データ送信のためのスケジューリング要求又はランダムアクセスプリアンブルの送信によりＤＲＸ状態に遷移することであってもよい。
【０１１０】
データ送信の場合、ＵＥ１００がｅＮＢ２００との通信を希望しており、ｅＮＢ２００から複数回データを受信することが想定される。よって、ショートＤＲＸ状態ＳＴ１への遷移を許容することで、比較的頻繁な通信にも対応可能となる。
【０１１１】
［第４実施形態］
第４実施形態について、第１実施形態との相違点を主として説明する。
【０１１２】
第４実施形態においては、ショートＤＲＸ設定情報（ｓｈｏｒｔＤＲＸ−Ｃｙｃｌｅ）、ロングＤＲＸ設定情報（ｌｏｎｇＤＲＸ−Ｃｙｃｌｅ）、及び拡張ＤＲＸ設定情報（ｅｘｔｅｎｄｅｄＤＲＸ−Ｃｙｃｌｅ）をＵＥ１００が有している場合を想定する。
【０１１３】
拡張ＤＲＸは、既存のＤＲＸとは異なる特殊なＤＲＸである。そのような特殊なＤＲＸがｅＮＢ２００から個別ＲＲＣメッセージにより設定されたＵＥ１００については、積極的に拡張ＤＲＸを使用することが好ましい。
【０１１４】
図１３は、第４実施形態に係るＤＲＸ状態遷移を示す状態遷移図である。
【０１１５】
図１３に示すように、ＵＥ１００の制御部１３０は、ショートＤＲＸ状態ＳＴ１において、ショートＤＲＸ状態ＳＴ１からロングＤＲＸ状態ＳＴ２に遷移することなく、ショートＤＲＸ状態ＳＴ１から拡張ＤＲＸ状態ＳＴ３に遷移する。換言すると、制御部１３０は、ショートＤＲＸ状態ＳＴ１から他のＤＲＸ状態への状態遷移において、ロングＤＲＸ設定情報（ｌｏｎｇＤＲＸ−Ｃｙｃｌｅ）を無視する。
【０１１６】
第４実施形態によれば、拡張ＤＲＸが設定されたＵＥ１００に積極的に拡張ＤＲＸを使用させることができる。
【０１１７】
［第５実施形態］
第５実施形態について、第１実施形態との相違点を主として説明する。
【０１１８】
第５実施形態においては、ショートＤＲＸ設定情報（ｓｈｏｒｔＤＲＸ−Ｃｙｃｌｅ）、ロングＤＲＸ設定情報（ｌｏｎｇＤＲＸ−Ｃｙｃｌｅ）、及び拡張ＤＲＸ設定情報（ｅｘｔｅｎｄｅｄＤＲＸ−Ｃｙｃｌｅ）をＵＥ１００が有している場合を想定する。
【０１１９】
拡張ＤＲＸがｅＮＢ２００から個別ＲＲＣメッセージにより設定されたＵＥ１００は、マシンタイプコミュニケーション（ＭＴC）を行うとみなすことができる。また、ＭＴCにおいては、単発の通信が主になると考えられる。よって、そのようなＵＥ１００がショートＤＲＸ状態ＳＴ１に遷移することは、消費電力の観点で好ましくない。
【０１２０】
図１４は、第５実施形態に係るＤＲＸ状態遷移を示す状態遷移図である。
【０１２１】
図１４に示すように、ＵＥ１００の制御部１３０は、拡張ＤＲＸ状態ＳＴ３のための設定情報（ｅｘｔｅｎｄｅｄＤＲＸ−Ｃｙｃｌｅ）及びショートＤＲＸ状態ＳＴ１のための設定情報（ｓｈｏｒｔＤＲＸ−Ｃｙｃｌｅ）の両方を有する場合、ショートＤＲＸ状態ＳＴ１のための設定情報（ｓｈｏｒｔＤＲＸ−Ｃｙｃｌｅ）を無視する。つまり、拡張ＤＲＸが設定されたＵＥ１００は、「ｓｈｏｒｔＤＲＸ−Ｃｙｃｌｅ」を無視する。その結果、拡張ＤＲＸが設定されたＵＥ１００は、「ｓｈｏｒｔＤＲＸ−Ｃｙｃｌｅ」を有していても、拡張ＤＲＸ状態ＳＴ３とロングＤＲＸ状態ＳＴ２との間でのみ状態遷移を行うことになる。
【０１２２】
第５実施形態によれば、拡張ＤＲＸが設定されたＵＥ１００における消費電力の削減を図ることができる。
【０１２３】
［その他の実施形態］
上述した第１実施形態において、ロングＤＲＸ状態ＳＴ２から拡張ＤＲＸ状態ＳＴ３への状態遷移について説明した。しかしながら、第１実施形態に係る動作をショートＤＲＸ状態ＳＴ１から拡張ＤＲＸ状態ＳＴ３への状態遷移に応用してもよい。
【０１２４】
上述した実施形態において、アイドルモードのＤＲＸについて特に触れなかった。しかしながら、第１実施形態に係る動作をアイドルモードのＤＲＸに応用してもよい。アイドルモードにおいては、ページングサイクルがＤＲＸサイクルに相当する。既存のページングサイクル（既存のＤＲＸサイクル）と拡張ページングサイクル（拡張ＤＲＸサイクル）との両方の設定情報を有するＵＥ１００は、アイドルモードに遷移した後（ＲＲＣ  Ｃｏｎｎｅｃｔｉｏｎ  Ｒｅｌｅａｓｅ後）、タイマ又はカウンタが満了した場合に、拡張ＤＲＸサイクルに従って起動する。すなわち、アイドルモードに遷移後、ある程度の期間は既存のＤＲＸ状態を維持し、当該期間が経過すると拡張ＤＲＸモードに遷移する。
【０１２５】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１２６】
［相互参照］
日本国特許出願第２０１５−３８９２７号（２０１５年２月２７日）の全内容が参照により本願明細書に組み込まれている。
【産業上の利用可能性】
【０１２７】
本発明は、通信分野において有用である。
【図１】
2016136960.tif 000003
【図２】
2016136960.tif 000004
【図３】
2016136960.tif 000005
【図４】
2016136960.tif 000006
【図５】
2016136960.tif 000007
【図６】
2016136960.tif 000008
【図７】
2016136960.tif 000009
【図８】
2016136960.tif 000010
【図９】
2016136960.tif 000011
【図１０】
2016136960.tif 000012
【図１１】
2016136960.tif 000013
【図１２】
2016136960.tif 000014
【図１３】
2016136960.tif 000015
【図１４】
2016136960.tif 000016
【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
第１のＤＲＸサイクルと、第２のＤＲＸサイクルと、第３のＤＲＸサイクルとのうちの少なくともいずれか一つを示す情報をユーザ端末に送信する送信部を備え、
前記ＤＲＸサイクルは、基地局から送信される下りリンク制御チャネルをユーザ端末が間欠的に監視する周期を示し、
前記第２のＤＲＸサイクルは、前記第１のＤＲＸサイクルよりも長い周期を有し、
前記第３のＤＲＸサイクルは、前記第２のＤＲＸサイクルよりも長い周期を有することを特徴とする基地局。
【請求項２】
ＲＲＣアイドル状態において、拡張ＤＲＸサイクルが設定されている場合、前記拡張ＤＲＸサイクルに従ってページングメッセージを監視する処理を実行する制御部を備えるユーザ端末。
【請求項３】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態は、ロングＤＲＸ状態及びショートＤＲＸ状態を含み、
前記ロングＤＲＸ状態又は前記ショートＤＲＸ状態において、自無線端末宛ての制御信号を受信しないＤＲＸサイクルが継続する期間又は自無線端末宛ての制御信号を受信しないＤＲＸサイクルの回数が第１の閾値を超えた場合、前記ロングＤＲＸ状態又は前記ショートＤＲＸ状態から、前記拡張ＤＲＸ状態に遷移する制御部を備えることを特徴とする無線端末。
【請求項４】
前記制御部は、基地局から受信する閾値情報に基づいて、前記第１の閾値を設定することを特徴とする請求項３に記載の無線端末。
【請求項５】
前記制御部は、前記拡張ＤＲＸ状態において、自無線端末宛ての制御信号を受信しないＤＲＸサイクルが継続する期間又は自無線端末宛ての制御信号を受信しないＤＲＸサイクルの回数が第２の閾値を超えた場合、前記拡張ＤＲＸ状態から前記ロングＤＲＸ状態に遷移することを特徴とする請求項３又は４に記載の無線端末。
【請求項６】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態において、前記拡張ＤＲＸ状態への遷移を指示するＭＡＣ制御要素を基地局から受信した場合、前記ＤＲＸ状態から前記拡張ＤＲＸ状態に遷移する制御部を備えることを特徴とする無線端末。
【請求項７】
前記ＤＲＸ状態は、ロングＤＲＸ状態を含み、
前記制御部は、前記ロングＤＲＸ状態において、前記ＭＡＣ制御要素を前記基地局から受信した場合、前記ロングＤＲＸ状態から前記拡張ＤＲＸ状態に遷移することを特徴とする請求項６に記載の無線端末。
【請求項８】
前記ＤＲＸ状態は、ショートＤＲＸ状態をさらに含み、
前記制御部は、前記ロングＤＲＸ状態において、前記ＭＡＣ制御要素を前記基地局から受信した場合、前記ショートＤＲＸ状態のための設定情報を有していても、前記ショートＤＲＸ状態に遷移することなく、前記拡張ＤＲＸ状態に遷移することを特徴とする請求項７に記載の無線端末。
【請求項９】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態は、ロングＤＲＸ状態及びショートＤＲＸ状態を含み、
前記拡張ＤＲＸ状態において、基地局へのデータ送信又は前記基地局からのデータ受信により前記ＤＲＸ状態に遷移する制御部を備え、
前記データ送信により前記ＤＲＸ状態に遷移した場合において適用可能なＤＲＸ状態と、前記データ受信により前記ＤＲＸ状態に遷移した場合において適用可能なＤＲＸ状態と、が異なることを特徴とする無線端末。
【請求項１０】
前記制御部は、前記データ受信により前記ロングＤＲＸ状態に遷移した場合、前記ショートＤＲＸ状態のための設定情報を有していても、前記ショートＤＲＸ状態に遷移を禁止することを特徴とする請求項９に記載の無線端末。
【請求項１１】
前記制御部は、前記データ送信により前記ロングＤＲＸ状態に遷移した場合、前記ショートＤＲＸ状態のための設定情報を有していれば、前記ショートＤＲＸ状態に遷移可能とすることを特徴とする請求項９又は１０に記載の無線端末。
【請求項１２】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態は、ロングＤＲＸ状態及びショートＤＲＸ状態を含み、
前記ショートＤＲＸ状態において、前記ショートＤＲＸ状態から前記ロングＤＲＸ状態に遷移することなく、前記ショートＤＲＸ状態から前記拡張ＤＲＸ状態に遷移する制御部を備えることを特徴とする無線端末。
【請求項１３】
コネクティッドモードにおいて、ＤＲＸ状態及び該ＤＲＸ状態に比べてＤＲＸサイクルが長い拡張ＤＲＸ状態の何れかで、下りリンク制御チャネルを間欠的に監視する無線端末であって、
前記ＤＲＸ状態は、ロングＤＲＸ状態及びショートＤＲＸ状態を含み、
前記拡張ＤＲＸ状態のための設定情報及び前記ショートＤＲＸ状態のための設定情報の両方を有する場合、前記ショートＤＲＸ状態のための設定情報を無視することを特徴とする無線端末。
【請求項１４】
アイドルモードにおいて、ＤＲＸ状態及び該ＤＲＸ状態に比べてページングサイクルが長い拡張ＤＲＸ状態の何れかで、下りリンク制御チャネルを間欠的に監視する無線端末であって、
前記ＤＲＸ状態において、自無線端末宛ての制御信号を受信しないページングサイクルが継続する期間又は自無線端末宛ての制御信号を受信しないページングサイクルの回数が第１の閾値を超えた場合、前記ＤＲＸ状態から前記拡張ＤＲＸ状態に遷移する制御部を備えることを特徴とする無線端末。
【国際調査報告】
2016136960.tif 000017
2016136960.tif 000018
2016136960.tif 000019
2016136960.tif 000020